(57)【要約】【課題】天候や場所等の環境に影響されず、また、視力の低下が心配な場合でも、釣糸を簡易に短時間で導糸する事が可能で、剥離の心配がある場合は強固な接着剤を付着させる挿入式ガイドを提供する。【解決手段】ミュージックワイヤで作られたバネ性の高く高強度の突起スプリングバーが２本装備された挿入式ガイドは、リールから引き出された釣糸を押し込むだけの挿入式導糸となるため、細い釣糸でも糸切れや糸伸び、糸絡みも無く素早く穂先まで届き全てのガイドに対し容易に配置が出来、挿入式ガイドが剥離の心配がある場合、セルロースナノファイバーと高分子ポリ酢酸ビニルを接着剤としての利用も有効である。【選択図】図１２
2019154423.tif 000002
【特許請求の範囲】
【請求項１】
釣り具であるリール竿に付帯されている釣糸を導糸する為に複数あるガイドリングは穂先に移行するほど細く小さい形状であって、前記ガイドリングには、スプリング機能を持つＵ字型ミュージックワイヤの押し込み挿入口と、導糸を受ける半円形のリングで孔を形成し、このスプリング機能を持つＵ字型ミュージックワイヤは１本〜２本、又は挿入口に対して交差させ形成し、釣竿に付帯させるガイドと一体化された事を特徴とした釣竿用の挿入式ガイドとガイドリング。
【請求項２】
Ｕ字型ミュージックワイヤを使用し作られたスプリングバーに突起形状を施し、所定形状に形成されたガイドリングへ内面孔の一部として一体に形成した請求項１に記載の釣竿用の挿入式ガイドとガイドリング。
【請求項３】
請求項１において釣糸を導糸し、ガイドリングと一体化された挿入式ガイドをより強固に竿体へ固定し保護するためにセルロースナノファイバーと高分子ポリ酢酸ビニルを接着剤とした事を特徴とした釣竿用の挿入式ガイドとガイドリング。
【発明の詳細な説明】
【技術分野】
【０００１】  本発明は、釣竿の挿入式ガイドとガイドリングに関する。
【背景技術】
【０００２】  今日に於ける釣糸は、化学繊維・金属繊維など非常に発展が目覚ましく、ヘラ釣りをはじめアユ等の敏感で繊細さを求められる釣糸、投げ釣りに使用される耐久性や強度が必要な釣糸等、指などで折れ曲がる様な不具合は稀である。しかしながら、釣りをする際には海藻根掛かり・ゴミや流木・岩礁摩擦・人的な障害物などのトラブルや糸の思わぬ疲労など設定した釣糸に想定を超えるサイズの漁獲でない限り、糸切れが起こる可能性は少ない。一方、釣竿の穂先まで釣糸を導糸する為に付帯しているガイドは、竿体に接着するガイドと釣糸を通す孔であるガイドリングで形成されている。これらは竿の種類により様々な形状で進化しているが、リール竿では竿の長短サイズにより５箇所〜１２箇所程度の複数ガイドが付帯されており、一般的には手元のリール側から穂先に向かいガイドリング孔の口径は段階的に狭くなり、穂先部分には最小のガイドが取り付けられている。また、ガイドはチタンやステンレス等で製造され、如何にも強硬に図られたデザインと軽量化するなどの技術が種々提案されている。
【発明の開示】
【発明が解決しようとする課題】
【０００３】  しかしながら、従来からあるリール竿のガイドは、リールから引き出した釣糸を竿の先端部分である穂先に向かい下から順序良くガイドと一体化されているガイドリング孔の中を潜り通すだけであるが、５箇所〜１２箇所程度の何れかのガイド数でも穂先へ近付くにつれ、リング孔が段階的に小さく狭くなり、透明色が多い釣糸では見辛い上、天候や風の強さ、場所等の環境により左右され孔を貫通させる方法での導糸は今日に至るも改善進化させる開発は為されず困難の場合が多い為、細く狭いガイド孔に釣糸を導糸するのは簡易ではない。【０００４】  さらに、比較的大きめなガイドリング孔までは導糸されても、中途のガイドから落とすなどの誤って釣糸が抜けたり絡まる等で釣竿を傾斜又は寝かす等、導糸し直す事や、位置方向や場所を余儀なく変更をする状況になる。また、ガイドの接着部分は漁獲する際の過酷な衝撃や水分に接する状態も多く、釣竿の酸化からガイドが外れてしまう事もあり、新たにガイドを付け替える等をしても粘着性の弱さや使用条件の違いから釣竿の使用は長期間出来ない等、改善の余地を残している。【０００５】  ところが、釣りの道具は様々な形態で高性能・高額商品化が進み、それらにより釣竿の軽量化や製造材料の発展は見受けられるが、簡易導糸に関するガイド、ガイドリングの開発はされていない問題があった。【０００６】  本発明の課題は、以上のような問題点に鑑み、天候や場所等の環境に影響されず、また、視力の心配や視界不良でも、釣竿に付帯しているガイドに釣糸を簡易に短時間で導糸する事が可能な挿入式ガイド、ガイドリングを提供することにある。特に氷点下の様な悪天候の場合は、後述の挿入式ガイドリング孔のスプリングバー可動部が氷結する可能性もあるが、凍結防止剤を利用する事で氷結は解決する。また、従来のガイド取付け台専用の糸で竿体に巻き付け接着剤を使用しても、使用条件により必要な接着力が得られない場合に於ける剥離の心配が残る状態では、セルロースナノファイバーと高分子ポリ酢酸ビニルを接着剤として利用する事により有効性が図られる。【０００７】  そこで本発明は、釣竿に付帯するガイドリングはスプリング機能を持つＵ字型突起ミュージックワイヤを押し込む形状にし、リールから伸ばした釣糸をワンプッシュで挿入させる事により、ガイドリング孔の大小に限定せず簡易に導糸が出来る効果の有効性がある４種類のガイドリング孔形状を提供する。それらはガイドの付帯する位置により混合させて付帯する事も可能であるが、全て統一形状でも良い。但し、挿入式ガイドに使用する釣糸は、１号以下および金属ラインの極細釣糸には不適合とする。また、冬期に於いて問題となる凍結を防止するためには、金属腐食性の少ない凍結防止剤を使用する事により僅か数秒で効果を得られる。
【課題を解決するための手段】
【０００８】  上記課題を解決するため、本発明は釣竿に装着されたリールから伸ばされた釣糸を通すガイドを簡易に導糸できる挿入式ガイド、ガイドリングであって、半円形をしたリングに挿入用のスプリング機能を持つＵ字型突起ミュージックワイヤを施し、それらの内部には釣糸が抜ける事を防止するストッパーを配置する。【０００９】  さらに、釣竿の穂先に比重がかかり撓みが起こった時点と開放れた時点共に、ガイドリング孔に於ける擦れによる釣糸の位置は変わる事は無く垂れた状態でも瞬時に戻る物理的現象は、錘や漁獲等により一直線上に張る釣糸が、ガイドリング孔の上部で左右に擦る動きが起こすが、本発明のスプリング機能を持つＵ字型ワイヤー線上に突起部分を設けたミュージックワイヤの挿入部に擦る事は突起部を設ける事で糸がリング孔より外れる事を防止する新規性のスプリングバーである。【００１０】  また、悪天候により挿入式ガイドリングのスプリングバーの凍結防止として、塩化ナトリウム系・尿素系・カルシウム、マグネシウム、アセテート酢酸のＣＭＡ系・酢酸カリウムのＫＡＣ等、種類が多い凍結防止剤の中で、防錆剤が添加され金属腐食性の可能性のある物を除き、生シリコンとアルカリ樹脂を特殊技術で融合させた凍結防止剤スプレーが最も適し、使用する事によりガイドリング孔の可動は可能で安定する効果が得られた。【００１１】  さらに、その挿入式ガイドはガイド孔とガイド外部との一体化である為、既存の釣竿に装着された既存ガイドとの交換も可能で、その際は請求項２に記載の強固な接着剤であるセルロースナノファイバーと高分子ポリ酢酸ビニルの利用も有効となる。
【発明の効果】
【００１２】  本発明挿入式ガイドによれば、釣竿の重量を増す事や糸切れや糸伸びも無く、糸通しを素早く容易に行われる事にある。【００１３】  また、挿入式ガイドに使用する材質はチタンとし、軽量化や剛性も強く、加工技術やメッキ技術も発展している事から錆び難くまた、釣糸を挿入するスプリングバーは［０００８］にも示した通り一部を突起形状とし、クロムメッキを施し錆びの防止と併せ、研磨技術により釣糸との摩擦が無く接触は滑らかで今日では研磨技術も高く、糸に傷や折れ曲がりを防ぐ効果もある。このスプリングバー上に凹凸の突起物を施した事の新規性は類例が無い。【００１４】  上記ミュージックワイヤの一部を突起形状させる形状については四角等、あらゆる形状が想定可能となり、限定させない。ただし、糸戻しや糸切れの想定をした場合、それらはなるべく傾斜を施し、角面については緩やかな形状にする上、糸絡みを防ぐため出来るだけ突起形状の凹凸は最小の寸法とする事が望まれる。また、この凹凸形状を設けた事により、スプリング効果への影響は無い。【００１５】  また、上記ミュージックワイヤの一部の突起形状は、角度２０度位で２ｍｍ〜３ｍｍの凹凸双方の形状でも横擦防止ストッパーとなるが、突起に限定する事は無く、凹ませる形状でも良い。【００１６】  さらに、釣糸に装着した錘等が穂先用挿入式ガイドやガイドリングに衝突してもスプリングバーはバネ性が高く、１ｍ２あたり１２０ｋｇの引っ張り強度を示し反復力が大きく強固なガイドリング突起スプリングバーとなり、釣糸を通すための開閉口であって衝突を防ぐ外側に配置されている事からそれらが侵入する事を防止出来る。その上、ガイドリングをガードする挿入式ガイド部は強固なチタン製となる。【００１７】  また、挿入式ガイドは全てのガイドに釣糸を潜らせる事より、釣糸を直線的に張った状態で押し込むだけの挿入式導糸であるため、通常１号糸と呼称されている細い糸でも素早く穂先まで届き全てのガイドに対し容易に配置が出来る。【００１８】  一方、竿体に挿入式ガイドを装着する際は、従来からの糸と接着剤により問題なく取付けられるが、より強固な接着剤を必要とする場合は、シリコン系接着剤を竿と挿入式ガイドに薄く塗布し、その層上にセルロースナノファイバーと高分子ポリ酢酸ビニル接着剤を塗布後、それらを貼り合わせ接着する。また、シリコン系単独使用の場合、乾燥までに数時間から２４時間位がかかる為、セルロースナノファイバーと高分子ポリ酢酸ビニル接着剤を使用する事により、数分で乾燥し、実用に耐えられる事になる。勿論、既存のガイドの装着の他、塩ビ、ポリプロピレン、ポリエチレン、金属、木にも適用される。
【図面の簡単な説明】
【００１９】
【図１】本発明による３種類の１型で、挿入式ガイドリングを釣竿に設置している斜視図である。
【図２】挿入式ガイドリングの左側面図である。
【図３】釣糸を挿入する為に突起スプリングを施してある挿入式ガイドリングの右側面図である。
【図４】挿入式ガイドリングに指先で釣糸を挿入する実施図である。
【図５】（Ａ）挿入式リングのバー１より直線的に張った釣糸を挿入後（Ｂ）バー２へ挿入し（Ｃ）釣糸の挿入が完了した図である。
【図６】釣竿にリールを装着し糸を１箇所の挿入式ガイドへ挿入後の拡大図及び釣竿全体図である。
【図７】釣竿にリールを装着し、釣竿を横に倒し釣糸を突起スプリングバーより挿入した拡大図及び釣竿全体図である。
【図８】ミュージックワイヤの強度を示す図表である。
【図９】本発明による３種類の２型で（Ａ）クロス型挿入式ガイドリングを釣竿に設置している斜視図であり（Ｂ）ガイドリングの突起スプリングバー可動方向を示す拡大図である。
【図１０】本発明による４種類の３型で単バー型挿入式リングを釣竿の穂先用に付帯する挿入式ガイドリングである。
【図１１】本発明の４種類の４型で、挿入式ガイドとガイドリングの挿入口を上部に配置した図である。
【図１２】本発明のガイドリングに装着するスプリング機能を持つＵ字型突起ミュージックワイヤバー後面斜視図である。
【発明を実施するための形態】
【００２０】  本発明の挿入式ガイド、ガイドリングは釣糸が絡む事無く一定方向へ導くために、竿体の先端まで数か所付帯させ、それらに釣糸を押し入れ、竿の穂先から出した後に錘と針を装着し竿体の振り上げ振り降ろしにより目的位置まで飛ばす事が出来る。
【００２１】  従来からの導糸方法は、リールから引き出された釣糸を、竿上に付帯された穂先まであるガイドリング環状孔の１箇所毎に指で潜らせるが、今日に至るまでこの不便な方法は変化をしていない。本発明の挿入式リングは近距離のガイド配置であれば、釣糸を複数個所へ同時に押し込み導糸する事が可能となる。
【００２２】  一方、従来から使用されているスプリングバーは、取り付け穴が右・左側で上下にずらし、双方を長短にした形状でＵ字状にバーを作り、この擦れによる金属線でバネになるように活用されている。この原理を元に、本発明では挿入式のガイドリングに利用するため、強固なミュージックワイヤを使用した上で、ガイド孔内の釣糸を保持する為、突起形状又は凹み形状を施し釣糸外れや擦れによる糸切れを防ぐ事が出来る新規性のスプリングバーで形成されている。
【００２３】  以下、図面に基づいて本発明の好適な実施例について説明する。図１で示した本発明の挿入式ガイドは、突起スプリングバーを２本装備し強度を強化した挿入式リングとガイドが一体化され釣竿に装着したものである。
【００２４】  それは、魚等を釣り上げる竿に対し動的なエネルギー加重がかかる位置に破壊防衛を図る上、風圧による糸ふけ防止を避ける為の風除けでもあり、リング孔のバーを２段式に設ける事により、安全保護とした。
【００２５】  図２及び図３は挿入式ガイドの側面図であるが、右側リングは全体の半円以上を保護し、突起スプリングバーの外周押さえとなり、内側に入り込む突起スプリングバーが釣糸の挿入により上下し簡易な導糸が可能となる。
【００２６】  図４ではリールから引き出された釣糸を指先で持ち、挿入式ガイドに釣糸を直線的に張った状態で挿入するが、従来からある全てのガイドに釣糸を潜らせる事より、押し込むだけの挿入式導糸であるが、釣糸の目覚ましい発展開発により、釣糸は強く細い糸になり素早く穂先まで全てのガイドに対し容易に導糸が出来る。
【００２７】  図５では、釣糸が挿入式リングに直線的に張った状態で挿入される図を示しているが、釣糸の発展により現在は糸切れや糸伸びも無く、挿入する際にそれらの問題が起こる事は無く、全ての挿入式ガイドへ容易に利用出来る。
【００２８】  また、スプリングバー１及び２は図８で示したミュージックワイヤとする。このミュージックワイヤはピアノ線に０．９％の炭素を含有させる事で高炭素鋼となり、引張強度が金属界１番の数値を示し、特徴としてはバネ性が高く１ｍｍ２あたり１２０ｋｇ前後の反復力を受けても十分な強度を示すため、スプリングバー１及び２のバネ性は強く、釣糸が挿入式ガイドから突出する事や糸外れを防ぐことが出来る。
【００２９】  さらに、挿入式ガイドの形状は変形型円状であり、釣糸を挿入前後の糸切れや糸伸び、糸絡みもしない。その上、釣糸を挿入時に違和感も無く１箇所の導糸にかかる時間は数秒の事となる。
【００３０】  また、釣糸を挿入式ガイドのリング孔から抜き取る事は、従来と同様の方法となり簡易である。
【００３１】  その上、突起スプリングバー１及び２のバネは軽いタッチで上下動をする為、釣糸が金属同士で挟まる部分でも釣糸が挿入しやすい変形円状であり滑らかに、その上、素早く挿入され、釣糸ガイド孔の外部に引っ掛かりや外れる事を防止出来る。
【００３２】  図６で示した通り、釣竿に配置するリールはスピニングリールの他、電動リール等多種があり、全てにおいて対応が可能となる。
【００３３】  また、リール全般で利き手によりリールハンドル部の左右変更があり、竿上に取付ける挿入式ガイドリングの突起スプリングバー挿入口の位置もそれにより変更する場合もある。例えば、より最適に釣糸を挿入する場合、釣竿を右横方向に倒した場合は右側、釣竿を立てた状態では中央等それぞれ想定出来るが、取付け位置はあくまでも任意で設定すべきものである。ただし、スピニング以外のリール竿については挿入式ガイドリングの突起スプリングバー挿入口は中央位置の設定が最適で有効になる。
【００３４】  一方、釣竿は投げ竿だけでなく、従来から使用されている落とし込み竿上に付帯されたガイドリング孔を必要とする全ての竿に共有する。それらに使用する挿入式ガイドの形状は４種類あり、サイズの大・小の差はあるが、選別は任意となる。
【００３５】  図１、図９、図１０で示したとおり、挿入式ガイドリングに使用する挿入式リング孔は４種類とし、釣竿導糸環として竿上に数か所または全箇所に同種類または数種類で付帯させる事も任意である。
【００３６】  図９に示したクロス型挿入式ガイドリングは、魚等を釣り上げる竿に対し動的なエネルギー加重がかかるリールに近い位置に付帯させ、リング孔には上部突起スプリングバーの強度をリング内の下部より支える上で、図９で示した通り、突起物が凸型である為、支える擦れ防止にも効果を持ち、交錯させたスプリングバーを持ち上げる事により破壊防衛を図れる。また、４種類からなるリング孔は任意での選択出来る。
【００３７】  図１０については、単バー型挿入式リングを穂先用のガイドにセットし示したが、穂先用以外の竿体に付帯する挿入式ガイドリングとしても利用可能となる。また、穂先は柔らかく作られ、風や釣糸から伝わる動作が敏感である為、内径を狭くし軽く、より簡易に挿入するように突起スプリングバーは単バー型で設けた。また、引き出した釣糸の取り込みによる穂先での錘ヨリ戻しがガイドリングと衝突してもそれにより破損する事は［００２８］にも示した通りの強度を堅持する事で防御出来る。
【００３８】  また、一般的に竿上のガイドは、穂先から手元リール側に向かい内径が広くなり、強風の場合は、竿上のガイド間で釣糸が吹き飛ばされ、糸が垂れる、糸ふけの現象が起こるため、本発明の挿入式ガイドリングはリング孔を狭くする事により、それらの防止にもなる。
【００３９】  図１１については、挿入式ガイドとガイドリングの挿入口を上部に配置し釣竿を立てながら押し入れる際にも簡易な導糸となるが、ガイドリングの突起スプリングバーの形態は図１、９、１０に示した何れも利用可能となる。
【００４０】  以上、本発明を実施例に基づき具体的に説明したが、本発明は上記実施例に限定されるものではなく、その要旨を逸脱しない範囲で種々変形可能であることは言うまでもない。
【符号の説明】
【００４１】１    釣竿
２    リール
３    釣糸
４    挿入式ガイド
５    挿入式ガイドリング
６    スプリングバー１
７    スプリングバー２
８    クロス式スプリングバー１
９    クロス式スプリングバー２
１０  挿入式ガイドリング孔環状挿入口
１１  穂先用挿入式ガイド
【図１】
2019154423.tif 000003
【図２】
2019154423.tif 000004
【図３】
2019154423.tif 000005
【図４】
2019154423.tif 000006
【図５】
2019154423.tif 000007
【図６】
2019154423.tif 000008
【図７】
2019154423.tif 000009
【図８】
2019154423.tif 000010
【図９】
2019154423.tif 000011
【図１０】
2019154423.tif 000012
【図１１】
2019154423.tif 000013
【図１２】
2019154423.tif 000014